(57)【特許請求の範囲】
【請求項１】
ポリ（メタ）アクリレート、その（メタ）アクリル酸との共重合体、ポリビニルラクタム、ポリビニルエステルおよびＮ−ビニルラクタムおよびビニルエステルから成る共重合体から選ばれる少なくとも一種のポリマー結合剤５０から９９．９重量％、少なくとも一種の有効成分０．１から５０重量％（いずれも剤形の全重量に対して）を混合し、混合物を押しだし、その際、
少なくとも一種の分散液または一種の溶液の形の結合剤の一部を、その結合剤の残りを、少なくとも一部の有効成分の混合物として、分散媒体及び溶剤を含まないポリマー溶融物の形で含む押出機に添加し、かつ分散媒体又は溶剤を前記押出機中で蒸発させ、かつ成形する固体剤形の製造方法。
【請求項２】
結合剤が、ポリ（メタ）アクリレートおよびその（メタ）アクリル酸との共重合体から選ばれる、請求項１記載の方法。
【請求項３】
結合剤が、ポリビニルラクタムおよびそのビニルエステルとの共重合体から選ばれる、請求項１記載の方法。
【請求項４】
ポリビニルラクタムが、ポリビニルピロリドンである、請求項３記載の方法。
【請求項５】
ビニルエステルが、酢酸ビニルである、請求項３または４記載の方法。
【請求項６】
結合剤分散液として、メタクリル酸／アクリル酸エチル共重合体分散液を使用する、請求項２記載の方法。
【請求項７】
有効成分を水溶液の形または有機溶剤中の溶液の形で使用する、請求項１から６までのいずれか１項記載の方法。
【請求項８】
有機溶剤として、水に混和性の溶剤を使用する、請求項７記載の方法。
【請求項９】
有効成分であるイブプロフェン、ケトプロフェン、フルルビプロフェン、アセチルサルチル酸、ベラパミル、パラセタモール、ニフェジピンまたはカプトプリルのＣ1〜Ｃ4−アルカノール中の溶液を使用する、請求項８記載の方法。
【請求項１０】
有効成分を溶解または分散して含むポリマー結合剤の分散液を使用する、請求項１から９までのいずれか１項記載の方法。
【請求項１１】
有効成分の一部を押出工程の間に混入させる、請求項１から９までのいずれか１項記載の方法。
【請求項１２】
混合物を同時押出し、多層薬剤剤形を形成する、請求項１記載の方法。
【発明の詳細な説明】
本発明は、少なくとも一種の薬理学的に認容性のポリマー結合剤、少なくとも一種の薬剤有効成分および場合によれば通常の薬剤添加剤の混合および所望の薬剤剤形への混合物の押出による固体薬剤剤形の製造方法に関する。
固体薬剤剤形、殊には錠剤の製造のための従来の方法は、バッチ式に実施され、多数の工程を含んでいる。一般に、剤形の成分を最初に適当な容器内に供給し、その中で溶剤を添加して混練できるペーストに混合する。引き続き、ペーストを造粒し、顆粒を乾燥し、希望する剤形に、例えば錠剤へプレスにより形成する。このような方法は、関連する教科書および例えばドイツ特許出願公開（ＤＥ−Ａ）第４１４１２６８号および欧州特許出願公開（ＥＰ−Ａ）第５９０９６３号の各明細書に記載されている。この方法の重大な欠点は、必要な工程および装置の数が多いことである。
少し以前から、固体薬剤剤形の製造のための実質的に簡単な連続式方法が公知となり、これによると、有効成分を含み、溶剤を含まないポリマー結合剤から成る溶融物を射出成形または押出および引き続く成形により希望する剤形に導くものであり、これは例えば欧州特許出願公開（ＥＰ−Ａ）第２４０９０４号、欧州特許出願公開（ＥＰ−Ａ）第２４０９０６号および欧州特許出願公開（ＥＰ−Ａ）第３３７２５６号の各明細書を参照のこと。このような方法は、エネルギー消費が大きい多くの場合に粉末状の熱可塑性結合剤の溶融が含まれる。さらに、結合剤とその他の成分、例えば多くの場合に固体状である薬剤有効成分または通常の製薬助剤との混合は、比較的高い工業的経費を要する。例えば、混合が溶融の前の別の工程において行わなければならない場合には、例えば特殊な固体混合機が必要となる。この場合には、さらに、押出機内に供給された予備混合物の成分が分離し、そのために不均一な組成の薬剤が製造される危険がある。反対に、押出機内における溶融過程および混合過程の組合せは、成分の十分な混合を行わせるために、高いせん断を及ぼすゾーンにおける比較的長い滞留時間を必要とする。このために、製品の局部的な過熱および劣化となりやすく、殊にせん断および温度の影響を受けやすい有効成分を用いる場合に著しい。粉末状物質を使用する別の欠点は、ダストの発生である。
乾燥した粉末状重合体の輸送は、コスト的に有利なことは確かである。しかし、薬理学的に好適で、固体薬剤剤形の製造のための結合剤として使用される重合体の多くは、分散液または溶液として製造される。上記の方法で使用するために、重合体は別の工程で絶えず固体として分離して乾燥される。重合体分散液または重合体溶液の結合剤としての直接使用は、液体状助剤の使用と同様にこれまで殆ど考慮されなかった。
重合体分散液は、固体薬剤剤形製造の際には、これまで被覆適用のためにしか使用されなかった。例えば、欧州特許（ＥＰ）第０８８９５１号明細書には、水中に分散させた被覆剤を用いる固体薬剤剤形の被覆のための方法が記載されている。このために、乳化重合体を噴霧乾燥、再分散および得られた分散液を被覆剤として既製の剤形上に被覆する。
本発明の対象は、少なくとも一種のポリマー結合剤と、場合によれば少なくとも一種の有効成分および場合によれば通常の添加剤との混合、混合物の押出および成形による固体剤形を製造するための方法であって、成分の少なくとも一部が液体の形で使用されることを特徴とする。
剤形として、本明細書において、薬剤、植物処理剤、飼料および食品としての使用に適するすべての形を考える。これには、例えばあらゆる形の錠剤、ペレット、顆粒、さらには殊に飼料および食品に使用できる大きい形、例えば立方体、ブロック（角柱）または円筒形が属する。
ポリマー結合剤としては、本明細書において、天然または合成ポリマーだけでなく、溶融できる低分子量物質、例えば糖アルコール、糖類、脂肪またはワックスを考える。
液体の形としては、本明細書において、使用する成分の一種を少なくとも部分的に溶剤中に取り込むかまたは溶融物として使用されるものを考える。成分が溶剤中に取り込まれた場合には、これは、溶液、分散液、エマルジョンまたは懸濁液の形であってもよい。
本発明により得られる剤形は、一般に、
ａ）有効成分０〜１００重量％、殊には０．１〜５０重量％（剤形の全重量に対して）、
ｂ）ポリマー結合剤０〜１００重量％、殊には５０〜９９．９重量％、および
ｃ）場合によれば添加剤
を含む。
剤形を食品目的または飼料目的のために使用する場合には、有効成分が含まれていなくてもよく、すなわち剤形は、ポリマー結合剤を１００％まで含んでいてもよい。
結合剤として、殊には薬理学的に認容性の重合体が好適である。これには、生理学的な環境において可溶性または膨潤性であり、かつ場合によれば含まれている有効成分を放出する生理学的に認容性の重合体を考える。さらに、加工温度が、一方では混合物を成形でき、しかし他方では成分、殊には有効成分を劣化させないように選定できることが重要である。これは、ポリマー結合剤のガラス転移温度が、有利には混合物中に含まれているすべての成分の分解温度以下であることを意味する。
有利には、ポリマー結合剤は、水性またはアルコール性分散液または溶液の形で使用される。本発明により好適なポリマー分散液またはポリマー溶液は、乳化重合、懸濁重合ならびに溶液重合により得ることができる。これらの方法は、当業者には公知である。この方法を実施するために使用され、場合によれば必要となる助剤は、同様に本発明による結合剤の構成成分であり、さらに以下に詳細に記載する。
さらに、本発明による好適なポリマー分散液またはポリマー溶液は、分散剤または溶剤中の固体状重合体の分散または溶解により得ることができる。例えば、重合体を有機溶剤中に溶かし、引き続き得られた有機溶液中に連続的に、重合体を水中に分散させるために好適な乳化剤を含む水溶液を混入することができる。その際、最初に（有機相が過剰に存在するかぎり）油中水型エマルジョンが生成する。乳化剤溶液をさらに添加すると、最終的に転相が起き、これにより、微細に分散した水中油型エマルジョンが形成される。このエマルジョンから、有機溶剤の蒸発除去により分散液、有利には水性分散液が得られる。場合によれば本方法の実施のために使用される助剤は、本発明による好適な分散液または溶液の構成成分であり、さらに以下に詳細に記載する。しかし有利には、重合体の製造の際に得られた溶液または分散液を場合によれば濃縮した後に使用する。
本発明による方法において、油中水型エマルジョンも水中油型エマルジョンも使用できる。
本発明による好適な重合体は、エチレン性不飽和モノマーの重合により得られる。その際、実質的に水不溶性でも実質的に水溶性のモノマーであってもよい。これらは、単独または混合物として使用できる。水不溶性ならびに水溶性モノマーの比率は、得られる重合体の性質に著しい影響を与える。従って、有効成分放出の場所および時期は、製薬的要求事項に従って重合体の選択により調整できる。
好適で、実質的に水不溶性のモノマーは、殊には、モノエチレン性不飽和モノマー、例えば炭素原子３〜６個を有するα，β−モノエチレン性不飽和モノカルボン酸およびジカルボン酸、例えばアクリル酸、メタクリル酸、マレイン酸、フマル酸およびイタコン酸と、一般に炭素原子１〜３０個、有利には１〜１８個かつ殊には１〜１２個を有するアルカノールとのエステル、ビニル−Ｃ1〜Ｃ18−アルキルエーテル、脂肪族−Ｃ1〜Ｃ18−モノカルボン酸のビニルエステルおよびＣ2〜Ｃ6−モノオレフィンである。その例は、メチルメタクリレート、エチルアクリレート、エチルメタクリレート、ｎ−プロピルアクリレート、ｎ−プロピルメタクリレート、イソプロピルアクリレート、イソプロピルメタクリレート、ｎ−ブチルアクリレート、ｎ−ブチルメタクリレート、イソブチルアクリレート、イソブチルメタクリレート、ｔ−ブチルアクリレート、ｔ−ブチルメタクリレート、ペンチルアクリレート、ペンチルメタクリレート、ｎ−ヘキシルアクリレート、ｎ−ヘキシルメタクリレート、ｎ−ヘプチルアクリレート、ｎ−ヘプチルメタクリレート、ｎ−オクチルアクリレート、ｎ−オクチルメタクリレート、２−エチルヘキシルアクリレート、２−エチルヘキシルメタクリレート、デシルアクリレート、デシルメタクリエート、ラウリルアクリレート、ラウリルメタクリレート、パルミチルアクリレート、パルミチルメタクリレート、ステアリルアクリレート、ステアリルメタクリレート、ヒドレノール（Hydrenol）アクリレート、ヒドレノールメタクリレート、ベヘニルアクリレートまたはベヘニルメタクリレート、マレイン酸ジメチルエステル、マレイン酸ジ−ｎ−ブチルエステル、スチレン、α−メチルスチレン、ｏ−クロロスチレン、ビニルトルエン、ビニルエチルエーテル、酢酸ビニル、プロピオン酸ビニル、ｎ−酪酸ビニル、ラウリン酸ビニル、ステアリン酸ビニル、エチレン、プロピレンおよびブタジエンである。
水溶性モノマーは、殊には、炭素原子３〜６個を有するα，β−モノエチレン性不飽和カルボン酸、例えばアクリル酸、メタクリル酸、クロトン酸、マレイン酸；アクリルアミド、メタクリルアミド；ヒドロキシルアルキル（メタ）アクリレート、例えばヒドロキシエチル（メタ）アクリレート；ジアルキルアミノアルキル（メタ）アクリレート、例えばジメチルアミノエチル（メタ）アクリレート；ジアルキルアミノアルキル（メタ）アクリルアミド、例えばジメチルアミノアルキル（メタ）アクリルアミド；およびＮ−ビニルラクタム、例えばＮ−ビニルピロリドンまたはＮ−ビニルカプロラクタムである。
上記のモノマーから得ることができる殊に好適な重合体は、ポリ（メタ）アクリレート、これらの（メタ）アクリル酸との共重合体、ポリビニルラクタム、ポリビニルエステルおよびＮ−ビニルラクタムとビニルエステルとの共重合体である。
殊に有利には、一方ではポリ（メタ）アクリレートおよびこれらの（メタ）アクリル酸との共重合体、殊にはメタクリル酸とエチルアクリレートとの共重合体、他方ではポリビニルピロリドンおよびそのビニルエステルとの共重合体、殊にはＮ−ビニルピロリドンと酢酸ビニルとの共重合体である。
ポリマーのＫ値〔Ｈ．フィケンチャー（H. Fikentscher, Cellulose-Chemie 13（1932）、58〜64および71および74頁）〕は、１０〜１００、有利には１２〜７０、殊には１２〜３５、ＰＶＰに対しては１７以上、特には２０〜３５の範囲内にある。
有利には、上記の重合体は、ラジカル開始の水性乳化重合により、水性分散液が得られるように製造される。殊に有利には、ラテックス分散液であり、これは、高分子化学において、半固体状、可塑性または弾性粒子が非常に微細に分散して得られる分散液である。このようなラテックス粒子は、直径０．０１〜１μｍを有するほぼ球形の形状を有する。
本発明に好適な重合体は、またこの重合体の製造に関与する別の助剤を含んでいてもよい。これには、例えばラジカル重合開始剤、例えば過酸化物、ヒドロペルオキシド、ペルオキソ二硫酸塩、過炭酸塩、ペルオキシエステルおよびアゾ化合物が挙げられる。これらは、押出条件下で分解するか、または重合の後に還元剤を用いる適当な後処理により分解される。
水性媒体中のポリマー分散液およびポリマー溶液は、本発明に有利である。水性媒体として、本明細書において、水および水に混和性の有機液体から成る混合物を考える。水に混和性の有機液体は、例えばポリオール、殊にはグリコール、例えばエチレングリコール、プロピレングリコール、１，３−ブチレングリコール、ジエチレングリコール、トリエチレングリコール、テトラエチレングリコールおよびグリセロール、酸化エチレンおよび酸化プロピレンから成るブロック共重合体、アルコキシル化Ｃ1〜Ｃ20−アルコール、グリコールおよびポリグリコールの酢酸エステル、アルコール、例えばメタノール、エタノール、イソプロパノールおよびブタノール、アセトン、テトラヒドロフラン、ジメチルホルムアミド、Ｎ−メチルピロリドンまたはさらに上記の溶剤の混合物である。重合が、水および水に混和性の溶剤から成る混合物中で行われる場合には、水に混和性の溶剤の混合物中における割合は、７５重量％以下である。
本発明に好適な分散液の製造のために、有利には生理学的に認容性の乳化剤または保護コロイドが分散剤として使用される。これは、ラジカル重合、殊には乳化重合の実施のためにも、また溶剤を含まない重合体の再分散のためにも該当する。
好適な保護コロイドは、例えばポリビニルアルコール、セルロース誘導体、ポリビニルピロリドンまたはビニルピロリドンを含む共重合体である。これ以外の好適な保護コロイドの詳細な記載は、ホウベン−ヴァイル（Houben-Weyl, Methoden der organischen Chemie, Band XIV/1, Makromolekulare Stoffe, Georg-Thieme-Verlag, Stuttgart, 1961, 411〜420頁）にある。当然ながら、乳化剤および／または保護コロイドから成る混合物も使用できる。有利には、分散剤として乳化剤のみを用い、その相対分子量は、保護コロイドとは異なって、通常１０００以下である。これらは、陰イオン性、陽イオン性または非イオン性であってもよい。慣用の乳化剤は、例えばエトキシル化モノアルキルフェノール、ジアルキルフェノールおよびトリアルキルフェノール（ＥＯ度：３〜５０、アルキル基：Ｃ4〜Ｃ9）、エトキシル化脂肪アルコール（ＥＯ度：３〜５０、アルキル基：Ｃ8〜Ｃ36）、ならびに硫酸アルキル（アルキル基：Ｃ8〜Ｃ12）、エトキシル化アルカノール（ＥＯ度：４〜３０、アルキル基：Ｃ12〜Ｃ18）およびエトキシル化アルキルフェノール（ＥＯ度：３〜５０、アルキル基：Ｃ4〜Ｃ9）の硫酸モノエステル、アルキルスルホン酸（アルキル基：Ｃ12〜Ｃ18）およびアルキルアリールスルホン酸（アルキル基：Ｃ9〜Ｃ18）のアルカリ金属塩およびアンモニウム塩である。これ以外の好適な乳化剤は、ホウベン−ヴァイル（Houben-Weyl, Methoden der organischen Chemie, Band XIV/1, Makromolekulare Stoffe, Georg-Thieme-Verlag, Stuttgart, 1961, 192〜208頁）にある。
別の使用できる結合剤は、セルロース誘導体、例えばセルロースエステル、例えば酢酸セルロースまたは酪酸セルロース、セルロースエーテル、殊にはメチルセルロースおよびエチルセルロース、ヒドロキシアルキルセルロース、殊にはヒドロキシメチルセルロース、ヒドロキシプロピルセルロースおよびヒドロキシエチルセルロース、ヒドロキシアルキル−アルキルセルロース、殊にはヒドロキシプロピル−メチルセルロースおよびヒドロキシプロピル−エチルセルロース、ナトリウムカルボキシメチルセルロース、ジチルセルロース（Ditylcellulose）、フタル酸セルロース、殊には酢酸フタル酸セルロース、酢酸フタル酸ヒドロキシプロピルメチルセルロースおよびフタル酸ヒドロキシプロピルメチルセルロース、マンナン、殊にはガラクトマンナン、酢酸フタル酸ポリビニル、シェラック、ゼラチン、ペクチン、グアル実粉、デンプンおよび分解デンプン、デンプン誘導体、ポリビニルアルコール、デキストリン、プルラン、アラビアゴム、トラガント、アルギン酸ナトリウム、アルギン酸プロピレングリコール、カンテンまたはリン脂質である。
その他の好適な結合剤は、糖アルコール、例えばマンニトール、イノシトール、ペンタエリトリトール、糖類、例えばラクトース、グルコース；および脂肪およびワックス、例えば以下に流れ調整剤として定義するものである。
さらに、結合剤に、そのガラス転移温度を低下させるために、通例で、有利には生理学的に認容性の軟化性助剤を加えることができる。軟化剤の量は、結合剤および軟化剤の全重量に対して多くとも３０重量％であり、これにより低温流れを示さない貯蔵安定性の剤形が形成される。しかし有利には、混合物は軟化剤を含まない。
このような軟化剤の例は、下記である：
長鎖アルコール、エチレングリコール、プロピレングリコール、グリセロール、トリメチロールプロパン、トリエチレングリコール、ブタンジオール、ペンタノール、例えばペンタエリトリトール、ヘキサノール、ポリエチレングリコール、ポリプロピレングリコール、ポリエチレン−プロピレングリコール、シリコーン、芳香族カルボン酸エステル（例えばフタル酸ジアルキル、トリメリト酸エステル、安息香酸エステル、テレフタル酸エステル）または脂肪族ジカルボン酸エステル（例えばアジピン酸ジアルキル、セバシン酸エステル、アゼライン酸エステル、クエン酸エステルおよび酒石酸エステル）、脂肪酸エステル、例えばグリセロールモノアセタート、グリセロールジアセタートまたはグリセロールトリアセタートまたはジエチルスルホコハク酸ナトリウム。軟化剤の濃度は、一般に、混合物の全重量に対して０．５〜１５、有利には０．５〜５重量％である。
上記の本発明に好適な重合体および場合によれば使用される助剤は、本発明では結合剤の概念の中に総括される。本発明に好適な結合剤は、また上記の種類の少なくとも一種の結合剤および場合によれば一種以上の上記の助剤を含む。
全量が重合体に対して１００重量％以下であってもよい通常の添加剤は、例えばエクステンダーならびに充填剤、例えばケイ酸塩またはケイソウド、酸化マグネシウム、酸化アルミニウム、酸化チタン、ステアリン酸またはその塩、例えばマグネシウム塩またはカルシウム塩、メチルセルロース、ナトリウム−カルボキシメチルセルロース、タルク、スクロース、ラクトース、穀物デンプンまたはトウモロコシデンプン、バレイショ粉、ポリビニルアルコールであって、殊には混合物の全重量に対して濃度０．０２〜５０、有利には０．２０〜２０重量％である。
滑沢剤、例えばステアリン酸アルミニウムおよびステアリン酸カルシウム、タルクおよびシリコーンは、混合物の全重量に対して濃度０．１〜５、有利には０．１〜３重量％である。
流れ調整剤、例えば動物または植物油脂、殊にはこれらの水素化した形および室温において固体のもの。これらの油脂は、有利には融点５０℃以上を有する。有利には、Ｃ12−脂肪酸、Ｃ14−脂肪酸、Ｃ16−脂肪酸およびＣ18−脂肪酸のトリグリセリドである。またワックス、例えばカルナウバワックスも使用できる。これらの油脂およびワックスは、有利には単独またはモノグリセリドおよび／またはジグリセリドまたはリン脂質、殊にはレシチンと一緒に混合してもよい。モノグリセリドまたはジグリセリドは、有利には上記の脂肪酸のタイプから誘導される。油脂、ワックス、モノグリセリド、ジグリセリドおよび／またはレシチンの総量は、０．１〜３０、有利には０．１〜５重量％がそれぞれの層に対する物質の全重量に対して使用される。
着色料、例えばアゾ染料、有機または無機顔料または天然産出の染料であって、その際、有利には無機顔料は、濃度０．００１〜１０、有利には０．５〜３重量％が混合物の全重量に対して使用される。
安定剤、例えば酸化防止剤、光安定剤、ヒドロペルオキシド分解剤、ラジカル捕捉剤、微生物被害への安定剤。
さらに、湿潤剤、保存剤、崩壊剤、吸着剤、離型剤および発泡剤ならびに界面活性剤が使用でき〔例えばＢ．Ｈ．ズッケルら（B.H.Sucker et al, Pharmazeutische Technologie, Thieme-Verlag, Stuttgart, 1978）参照〕、
助剤としては、本発明において、薬剤有効成分との固溶体の製造のための物質と考える。この助剤は、例えばペンタエリトリトールおよびペンタエリトリトール−四酢酸塩、ポリマー、例えばポリエチレンオキシドおよびポリプロピレンオキシドおよびこれらのブロックコポリマー〔ポロキサマー（Poloxamer）〕、リン脂質例えばレシチン、ビニルピロリドンのホモポリマーおよびコポリマー、界面活性剤、例えばポリオキシエチレン−４０−ステアラートならびにクエン酸およびコハク酸、胆汁酸、ステロールおよびその他の例えばＪ．Ｌ．フォード〔J.L.Ford, Pharm. Acta Helv. 61, 69-88（1986）〕に記載のものである。
薬剤助剤として、有効成分の溶解度を調節するための塩基および酸の添加も該当する〔例えばＫ．トーマら（K.Thoma et al., Pharm. Ind. 51, 98-101（1989））参照〕。
助剤の適合のための唯一の条件は、十分な熱安定性である。
本発明において、有効成分としては、生理学的作用を有し、かつできるだけ低い副作用を有するあらゆる物質であって、これが加工条件下で分解しないものを考える。殊には、薬剤有効成分（ヒトおよび動物に対して）、植物処理剤のための有効成分、および飼料有効成分および食品有効成分である。投与単位の有効成分量および濃度は、その効力および放出速度により広範囲に変化することができる。唯一の条件は、希望する作用を達成するために十分であることである。すなわち、有効成分濃度は、殊には０．１〜９５、有利には２０〜８０、殊には３０〜７０重量％（剤形の全重量に対して）である。有効成分の組合せも使用できる。本発明における有効成分は、ビタミンおよびミネラル物質、例えば食品および飼料、ならびに植物処理剤および殺虫剤中に含まれていてもよいものでもある。ビタミンには、ビタミンＡ群、Ｂ群、これにはＢ1、Ｂ2、Ｂ6およびＢ12ならびにニコチン酸およびニコチン酸アミド、さらにビタミン−Ｂ−性を有すると考えられる化合物も含まれ、例えばアデニン、コリン、パントテン酸、ビオチン、アデニル酸、葉酸、オロト酸、パンガミン酸、カルニチン、p-アミノ安息香酸、ミオ−イノシトールおよびリポ酸ならびにビタミンＣ、Ｄ群、Ｅ群、Ｆ群、Ｈ群、ＩおよびＪ群、Ｋ群およびＰ群のビタミンが属する。有効成分には、本発明においてペプチド治療薬も属する。
本発明による方法は、例えば下記の有効成分の投与にも好適である：
アセブトロール、アセチルシステイン、アセチルサリチル酸、アシクロビル、アルプラゾラム、アルファカルシドール、アラントイン、アロプリノール、アンブロキソール、アミカシン、アミロリド、アミノ酢酸、アミオダロン、アミトリプチリン、アムロジピン、アモキシシリン、アンピシリン、アスコルビン酸、アスパルテーム、アステミゾール、アテノロール、ベクロメタゾン、ベンセラジド、塩酸ベンズアルコニウム、ベンゾカイン、安息香酸、ベタメタゾン、ベザフィブラート（Bezafibrat）、ビオチン、ビペリデン、ビソプロロール（Bisoprolol）、ブロマゼパム、ブロムヘキシン、ブロモクリプチン、ブデソニド（Budesonid）、ブフェキサマク、ブフロメジル（Buflomedil）、ブスピロン、カフェイン、ショウノウ、カプトプリル、カルバマゼピン、カルビドパ、カルボプラチン、セファクロル、セファレキシン、セファドロキシル、セファゾリン、セフィキシム、セフォタキシム、セフタジジム、セフトリアキソン、セフロキシム、セレジリン、クロラムフェニコール、クロルヘキシジン、クロルフェニラミン、クロルタリドン、コリン、サイクロスポリン、シラスタチン（Cilastatin）、シメチジン、シプロフロキサシン、シサプリド（Cisapride）、シスプラチン、クラリスロマイシン、クレブラン酸（Claevulansaeure）、クロミプラミン、クロナゼパム、クロニジン、クロトリマゾール、コデイン、コレスチラミン、クロモグリク酸、シアノコバラミン、シプロテロン、デソゲストレル（Desogestrel）、デキサメタゾン、デクスパンテノール、デキストロメトルファン、デキストロプロポキシフェン、ジアゼパム、ジクロフェナク、ジゴキシン、ジヒドロコデイン、ジヒドロエルゴタミン、ジヒドロエルゴトキシン、ジルチアゼム、ジフェンヒドラミン、ジピリダモール、ジピロン、ジソピラミド、ドンペリドン、ドパミン、ドキシサイクリン、エナラプリル、エフェドリン、エピネフリン、エルゴカルシフェロール、エルゴタミン、エリスロマイシン、エストラジオール、エチニルエストラジオール、エトポシド、ユーカリノキ、ファモチジン、フェロジピン、フェノフィブラート（Fenofibrat）、フェノテロール、フェンタニール、フラビンモノヌクレオチド、フルコナゾール、フルナリジン、フルオロウラシル、フルオキセチン、フルルビプロフェン、フロセミド、ガロパミル（Gallopamil）、ジェムフェブロジル、ゲンタマイシン、イチョウ、グリベンクラミド、グリピシド、クロザピン、カンゾウ、グリセオフルビン、グアイフェネシン、ハロペリドール、ヘパリン、ヒアルロン酸、ヒドロクロロチアジド、ヒドロコドン、ヒドロコルチゾン、ヒドロモルホン、水酸化イプラトロピウム、イブプロフェン、イミペネム、インドメタシン、イオヘキソール、イオパミドール、イソソルビドジニトレート、イソソルビドモノニトレート、イソトレチノイン、ケトチフェン、ケトコナゾール、ケトプロフェン、ケトロラック、ラベタロール、ラクツロース、レシチン、レボカルニチン、レボドパ、レボグルタミド（Levoglutamid）、レボノルゲストレル、レボチロキシン、リドカイン、リパーゼ、イミプラミン、リシノプリル、ロペラミド、ロラゼパム、ロバスタチン、メドロキシプロゲステロン、メントール、メトトレキセート、メチルドパ、���チルプレドニゾロン、メトクロプラミド、メトプロロール、ミコナゾール、ミダゾラム、ミノサイクリン、ミノキシジル、ミソプロストル、モルヒネ、総合ビタミン混合物ならびに総合ビタミンの組合せおよび無機塩、Ｎ−メチルエフェドリン、ナフチドロフリル（Naftidrofuryl）、ナプロキセン、ネオマイシン、ニカルジピン、ニセルゴリン、ニコチンアミド、ニコチン、ニコチン酸、ニフェジピン、ニモジピン、ニトラゼパム、ニトレンジピン（Nitrendipin）、ニザチジン、ノルエチステロン、ノルフロキサシン、ノルゲストレル、ノルトリプチリン、ナイスタチン、オフロキサシン、オメプラゾール、オンダンセトロン、パンクレアチン、パンテノール、パントテン酸、パラセタモール、ペニシリンＧ、ペニシリンＶ、フェノバルビタール、フェノキシフィリン、フェノキシメチルペニシリン、フェニレフリン、フェニルプロパノールアミン、フェニトイン、ピロキシカム、ポリミキシンＢ、ポビドンヨード、プラバスタチン（Pravastatin）、プラゼパム、プラゾシン、プレドニゾロン、プレドニゾン、ブロモクリプチン、プロパフェノン、プロプラノロール、プロキシフィリン、プソイドエフェドリン、ピリドキシン、キニジン、ラミプリル、ラニチジン、レセルピン、レチノール、リボフラビン、リファンピシン、ルトシド、サッカリン、サルブタモール、サルカトニン（Salcatonin）、サリチル酸、シムバスタチン、ソマトトロピン、ソタロール、スピロノラクトン、スクラルファート、スルバクタム、スルファメトキサゾール、スルファサラジン、スルピリド、タモキシフェン、テガフール、テプレノン、テラゾシン（Terazosin）、テルブタリン、テルフェナジン、テトラサイクリン、テオフィリン、チアミン、チクロピジン、チモロール、トラネキサム酸、トレチノイン、トリアムシノロンアセトニド、トリアムテレン、トリメトプリム、トロキセルチン、ウラシル、バルプロ酸、バンコマイシン、ベラパミル、ビタミンＥ、フォリン酸、ジドブジン、ゾテピン。
有利な有効成分は、イブプロフェン（ラセミ体、鏡像異性体または濃縮鏡像異性体として）、ケトプロフェン、フルルビプロフェン、アセチルサリチル酸、ベラパミル、パラセタモール、ニフェジピンまたはカプトプリルである。
特に、固溶体または分散体の形成となってもよい。「固溶体」および「固体分散体」の概念は、当業者には周知のものであり、例えば冒頭に引用した文献から分かる。ポリマー中の薬剤有効成分の固溶体中で、有効成分はポリマー中の分子分散体として存在する。
成分の液状形のための溶剤として、第一には水または水に混和性の有機溶剤またはその水との混合物が該当する。しかし、使用できる溶剤は、水と混和できないかまたは混和性の有機溶剤であってもよい。好適な水に混和性の溶剤は、殊にはＣ1〜Ｃ4−アルカノール、例えばエタノール、イソプロパノールまたはｎ−プロパノール、ポリオール、例えばエチレングリコール、グリセロールおよびポリエチレングリコールである。好適な水と混和できない溶剤は、アルカン、例えばペンタンまたはヘキサン、エステル、例えば酢酸エチルまたは酢酸ブチル、塩素化炭化水素、例えば塩化メチレンおよび芳香族炭化水素、例えばトルエンおよびキシレンである。別の使用できる溶剤は、液体ＣＯ2である。
それぞれの場合にどの溶剤を使用するかは、対象とする成分およびそれらの性質に依存する。例えば、薬剤有効成分は、しばしば一般に水溶性である塩の形で使用される。従って、水溶性有効成分は、水溶液として使用されるか、または有利には結合剤の水溶液または分散液中に取り込まれることができる。使用される成分の液状形が有機溶剤に基づく場合には、上記の１種の溶剤中に可溶性の有効成分に対しても同様のことが該当する。
一般に、成分は溶剤中でできるだけ高い濃度で含まれる。その量は、使用する溶剤および成分により定まる。
本発明により、すべての成分は、予備混合物に一緒にするか、個別の成分を少なくとも一部を後の時点において、例えば押出の間に加えることができる。例えば変化しやすい有効成分または反応性成分を比較的遅い工程において初めて加えて、できるだけ短時間で高いせん断力および／または温度を混合および／または押出の間にこれに作用させることが推奨される。
混合装置として、殊には、合成樹脂技術において混合のために使用される装置も使用できる。好適な装置は、例えばパールの「合成樹脂の製造および加工における混合」（”Mischen beim Herstellen und Verarbeiten von Kunststoffen”, H. Pahl, VdI-Verlag, 1986）に記載されている。殊に好適な混合装置は、押出機および動的および静的ミキサー、ならびに撹拌槽、ストリップ装置を有する一軸撹拌装置、殊にはいわゆるペースト撹拌装置、多軸撹拌装置、殊にはＰＤＳＭ−混合機、固体混合機ならびに有利には混合混練反応器（例えばリスト（List）社のＯＲＰ、ＣＲＰ、ＡＰ、ＤＴＰまたはクラウス−マッファイ社（Firma Krauss-Maffei）のレアクトテルム（Reaktotherm）、密閉式混合機またはローター・ステーター系〔例えばＩＫＡ社のディスパックス（Dispax）〕である。
混合装置への供給は、通常の方法で連続式またはバッチ式で行うことができる。粉状の成分は、フリーフィード、例えば差動供給秤量フィーダーを用いて導入できる。可塑性材料は、直接押出機から供給するか、または殊に高粘度および高圧において有利なギヤポンプを用いて供給できる。液状媒体は、好適なポンプ装置を用いて供給できる。
混合および押出の工程は、同じ装置内または二基以上の別々に運転する装置内で実施できる。予備混合物の調製は、いずれかの上記の通常の混合装置内で実施できる。次いで、このような予備混合物は、直接、例えば押出機内に供給され、引き続き場合によれば別の成分を加えて押し出すことができる。
本発明による方法は、押出機として、一軸押出機、かみ合いスクリュー機または多軸スクリュー押出機、殊には同方向または逆方向回転、かつ場合によればニーディングディスクを設けた二軸スクリュー押出機が使用できる。押出の際に溶剤を蒸発させなければならないので、押出機は、一般に蒸発部を設ける。殊に有利には、ヴェルネル・ウント・プライデレル（Werner u. Pfleiderer）のＺＫＳ−構造シリーズの押出機である。
本発明によると少なくとも一部の成分は液状で使用されるので、液体含有、有利には水含有材料が押し出される。例えば、少なくとも一種の成分が液状で含まれる予備混合物を製造する場合には、この液体含有材料は、例えば押出機中に供給され、引き続き成形されてもよい。その際、有効成分の少なくとも一部を場合によれば分散液または溶液として押出の間に、即ち押出機中で初めて添加できることも当然である。
別の方法は、一つの成分、例えば結合剤を場合によれば少なくとも一部の有効成分および／または少なくとも一部の添加剤との混合物中に溶融物の形で混入することから成り、その際、例えば溶剤を含まない結合剤が溶融した溶融物を得ることができる。場合によれば混合物中に存在する有効成分部分および／または添加剤部分は、溶融の前、その間またはその後に加えることができる。有利には、溶融は、これを押し出す押出機中において行われる。
本発明によると、多層薬剤剤形も同時押出により製造でき、その際、上記の成分から成る複数の混合物を押出の際に、所望の多層薬剤剤形の層構造が得られるように押出機中のダイで混合する。有利には、異なる結合剤を異なる層に使用する。
多層薬剤剤形は、有利には二層または三層形を含む。これらは、開放形または閉鎖形であってもよく、殊には開放または閉鎖多層錠剤である。
少なくとも一層は、少なくとも一種の薬剤有効成分を含む。別の有効成分を他の層に含ませることも可能である。これは、二種類のたがいに相容性ではない有効成分を加工できたり、または有効成分の放出特性を調節できる利点を有する。
成形は、同時押出により行われ、その際、混合物を個別の押出機または他の装置から、共通の同時押出ダイに導き、押し出す。同時押出ダイの形状は、希望する薬剤剤形により定まる。例えば、フラットダイ、いわゆるスロットダイを有する型、および出口に対して環状断面を有するダイが好適である。その際、ダイ設計は、使用するポリマー結合剤および希望する薬剤剤形に従って行われる。
押出機から取り出した後、通常引き続き成形が行われる。その際、多数の形状が、その成形の押出ダイおよび成形様式に応じて製造できる。例えば、押し出されたストランドは欧州特許出願公開（ＥＰ−Ａ）第３５８１０５号明細書に記載のようにベルトとロールの間、２枚のベルトの間または２個の成形ロールの間、または成形ロール２個を有するカレンダーにおけるカレンダリング（例えば欧州特許出願公開（ＥＰ−Ａ）第２４０９０４号明細書参照）により成形できる。ストランドの押出およびホットカット造粒またはコールドカット造粒により、異なる形、例えば小粒子状で均一に成形された顆粒を得ることができる。ホットカット造粒では、通常、直径１〜１０ｍｍのレンズ状剤形（錠剤）となり、一方、コールドカット造粒では、通常、長さの直径に対する比が１〜１０で直径０．５〜１０ｍｍの円筒形製品となる。このように、一層式、同時押出を用いる場合では開放または閉鎖の多層剤形、例えば縦長錠剤、糖衣錠、香錠およびペレットが製造できる。得られた顆粒は、引き続き粉末に粉砕され、通常の方法で錠剤にプレスされてもよい。これらの剤型は、後続の工程において通常の方法により丸めおよび／またはコーティングを施すことができる。
本発明による方法は、固体成分の使用によるダスト発生を抑制し、かつこれにより製造装置および洗浄設備の汚染を低下できる利点を有する。これは、殊には高いアレルギー性または毒性の可能性がある危険な有効成分の場合に重要である。
本発明の方法の別の利点は、成分の塊化または粘着による固体供給の問題が低下できる点にある。さらに、固体成分の分離の危険が防げられる。別の利点は、市場で液状で提供される場合が多い成分を直接に、追加の処理工程がなくても一緒に使用できる点にある。
さらに、粉末混合物の形で貯蔵している間の成分の望ましくない反応を避けることができる。
最後に、本発明の方法においては、溶融物は、その溶剤含有量のために、低い粘度を有する。さらに溶剤は押出機中で蒸発しなければならないので、そのために、溶融物は必要な蒸発熱により冷却される。従って、この方法は非常に取扱やすい。
下記の実施例は、本発明による方法を説明するものであり、これを制限するものではない。
【実施例】
例１
二軸スクリュー押出機中に、Ｋ値３０を有するポリビニルピロリドンおよびイブロフェン比率２０重量％の混合物から成る混合物の溶融物を装入した。次いでこの押出機中に連続的に添加装置を通じてメタクリル酸／アクリル酸エチル（１／１）のコポリマーの３０重量％分散液を約１０ｍｌ／分で供給ゾーンの低温部分に添加した。この混合物は、下記の条件において押し出された。
セクション１：  ６０℃
セクション２：  ８０℃
セクション３：１００℃
セクション４：１１０℃
セクション５：１００℃
セクション６：  ９０℃
ダイ        ：１１０℃
セクション５には追加して溶剤を吸引できる真空接続管がある。
均質の組成物が得られ、これを冷却後に摩砕し、錠剤にプレスした。
例２：
Ｋ値４０〔エタノール中の１％濃度で測定；Ｋ−値の測定に関しては、Ｈ．フィケンチャー（H. Fikentscher,”Systematik der Cellulosen aufgrund ihrer Viskositaet in Loesung”, Cellulose-Chemie 13（1932）、58〜64および71〜74頁）参照〕を有する酢酸ビニル７０重量％およびＮ−ビニルピロリドン３０重量％の共重合体をエタノール溶液（５０重量％）中のラジカル重合により製造した。このようにして得られたエタノール性ポリマー溶液中に、有効成分イブプロフェンを加えて、エタノール４２．５重量％中のポリマー４２．５重量％およびイブプロフェン１５．０重量％の溶液が得られた。この溶液は、直接ＺＳＫ−４０二軸スクリュー押出機中で、加工温度１１０℃において脱ガス条件（減圧４０ミリバール）で押し出した（押出量：１０ｋｇ／時間）。ダイから出たストランドを水浴中で冷却し、造粒した。透明なペレットが得られた。